(57)【特許請求の範囲】
【請求項１】
天板と底板、左右の両側板がそれぞれ対向する角柱状胴部の前後開放端部が閉鎖され、前記胴部の所定の位置に振出口を設けてなる直方体状の中箱と、上板と下板、左右両側板がそれぞれ対向し、前記上板の所定の位置に前記振出口の移動操作を行う操作窓を設けてなる角柱状の筒状体とからなり、前記筒状体に挿入された前記中箱が、収納位置と前記振出口が開口する所定の振出位置間をスライド可能としたカートンであって、
前記中箱の前記側板のスライド方向の端辺に折線を介して曲折部を有する曲折パネルを延設して、該曲折パネルを前記折線を回転軸として回動して前記天板上に折り重ね、
前記収納位置において、前記曲折部が曲折して前記操作窓を通して持ち上がり、スライド方向と直交する前記曲折部の端縁と前記操作窓の前側端縁同志が係止することによるロック手段によって、前記中箱の前記振出位置方向への移動が、前記ロック手段を解除しない限り防止されていることを特徴とする振出しカートン。
【請求項２】
前記中箱のスライド方向と直交する方向において、前記筒状体の内法寸法は前記中箱の幅より大きく、前記曲折パネルの最大幅より小さいことを特徴とする請求項１記載の振出しカートン。
【請求項３】
前記曲折部の表面に滑り止め加工が施されていることを特徴とする請求項１あるいは２記載の振出しカートン。
【発明の詳細な説明】
【０００１】
【発明の属する技術分野】
本発明は、筒状体（外装スリーブ）の中をスライドする中箱の振出口より粒状の商品を取り出す振出しカートンに関する。
【０００２】
【従来の技術】
振出しカートンは常時ポケット等に入れておき必要時に振出口を開口して内容物を適量取り出し、振出口をまた元の閉鎖された状態に戻すものであって、粒状の口腔清涼剤等に使用されているものである。
振出しカートンには種々のタイプがあるが、従来から使用されている代表的なものとして、中箱と筒状体とからなる振出しカートンがある。
例えば、特開平９−２８６４３１号公報に開示されている振出しカートンは、直方体の中箱とその胴部を覆う角柱状の筒状体とからなる振出しカートンであって、筒状体の内側を中箱がスライドして移動し、中箱の所定の位置に設けられている振出口の開閉が行われるものであって、中身の取り出しが容易であることは無論であるが、中箱の胴部が筒状体によって完全に覆われる収納位置において、不用意な中箱の前後の移動を妨げる係止機能が働き、また、中箱の最短移動で振出口が全開する振出位置からさらに中箱が移動して筒状体から抜け落ちないような係止機能が備えられている。
【０００３】
【発明が解決しようとする課題】
しかるに、特開平９−２８６４３１号公報に開示されている振出しカートンの係止機構は、筒状体の特定な箇所の端縁と中箱の突出片の側面とが係合することによるものであって、この種の係止機構によって係止されている振出しカートンを開口するには、一般に、突出片を強制的に折り曲げて係止を外すことが必要になるため、この瞬間、中箱の押し出しに力が必要となり、開封にはかなり抵抗を感じて開けにくいという問題がある。この抵抗を少なくしようとすれば、剛性の少ない薄手のカートンブランク基材を使用すればよいが、それではカートン全体の強度が不足して構造的に弱くて、潰れ易くなり、今度は、携帯中に何らかの拍子で、不用意に、独りでに、係止が外れて振出口が開口し、中身が散乱してしまう問題がある。さらに、振出しカートンの開閉を繰返すうちに突出片の疲労から係止機構が次第に甘くなり、最後に係止しなくなって、振出口が独りでに開封したり、さらに中箱が筒状体から抜け落ちたりすることが起きる可能性がある。
本発明は、前述の問題点に鑑みてなされたもので、収納位置で係止がしっかりしていて、不用意に、また独りでに振出口が開口することがなく、さらに始動時に抵抗を感じないで、弱い力でスムーズに中箱を移動でき、再度元の状態に戻すことのできる振出しカートンの提供を目的とする。
【０００４】
【課題を解決するための手段】
前記課題を解決するためになされた本発明の振出しカートンは、
天板と底板、左右の両側板がそれぞれ対向する角柱状胴部の前後開放端部が閉鎖され、前記胴部の所定の位置に振出口を設けてなる直方体状の中箱と、上板と下板、左右両側板がそれぞれ対向し、前記上板の所定の位置に前記振出口の移動操作を行う操作窓を設けてなる角柱状の筒状体とからなり、前記筒状体に挿入された前記中箱が、収納位置と前記振出口が開口する所定の振出位置間をスライド可能としたカートンであって、
前記中箱の前記側板のスライド方向の端辺に折線を介して曲折部を有する曲折パネルを延設して、該曲折パネルを前記折線を回転軸として回動して前記天板上に折り重ね、
前記収納位置において、前記曲折部が曲折して前記操作窓を通して持ち上がり、スライド方向と直交する前記曲折部の端縁と前記操作窓の前側端縁同志が係止することによるロック手段によって、前記中箱の前記振出位置方向への移動が、前記ロック手段を解除しない限り防止されていることを特徴とするものである。また、前記中箱のスライド方向と直交する方向において、前記筒状体の内法寸法は前記中箱の幅より大きく、前記曲折パネルの最大幅より小さくすることができるものである。
さらに、前記曲折部の表面に滑り止め加工を施しておくことが好ましい。
【０００５】
【発明の実施の形態】
以下図面によって本発明の振出しカートンをさらに詳細に説明する。
図１は、本発明による振出しカートンの実施例１の中箱と筒状体のブランク展開図である。
図１（ａ）は、実施例１の中箱のブランク展開図である。
実施例１の中箱のブランク１０は、図１（ａ）に示すように、それぞれが略矩形状の折り返し片１、糊代２、天板３、側板４、底板５、側板６、及び変形４角形状の曲折パネル７をこの順に折線ａ〜ｆを介して連接してなる胴部ブランクの天板３の前側（図では上部）の辺に折線ｇ，ｈを介して前板３−１と差し込み片３−２をこの順に連接し、天板３の後側の辺に折線ｉ，ｊを介して後板３−３と差し込み片３−４をこの順に連接し、側板４、６の前側と後側の辺に小フラップ４−１、４−２、６−１、６−２を連接してなるものである。
また、天板３と側板２にまたがるように振出口８が打ち抜かれ、またもう一方の側板６に振出口の一部８’が打ち抜かれ、底板５には側板６に沿って折り返し片９がコの字状の切れ目線ｋと折線ｅ（この部分はリード罫が好ましい）によって区画されて形成されている。
前板３−１の両端にはわずかに突き出る突出片Ａ４が延設されている。
変形４角形状の曲折パネル７は、折線ｆ，側板６の打ち抜き部８’の端部から発して折線ｆと直交する端辺ｍ、側板の後側端部から斜めに延びる端辺ｎ、折線ｆと対向する端辺ｌによって区劃される変形四角形状をしており、曲折パネル７の幅、すなわち端辺ｌと折線ｆ間の間隔、は最高値が天板３の幅よりも若干大きく設定されている。この件については詳しく後述する。
さらに、この曲折パネル７には，端辺ｎの一点から放射状に拡がる３本のリード罫ｏ，ｐ，ｑが設けられ、端辺ｍとリード罫ｏ，ｑによって区劃される曲折部Ｓには、エンボスによる凸状部Ｅが形成されている。
尚、図１において、中箱成形時の胴貼り用の接着領域が網点によって示されている。
【０００６】
図１（ｂ）は、実施例１の筒状体のブランク展開図である。
実施例１の筒状体のブランク２０は、図１（ｂ）に示すように、それぞれが矩形状の糊代Ｎ、側板１１、上板１２、側板１３、下板１４、前後２枚の係止板１５、１５’（ストッパーとして機能する）をこの順に折線ｒ〜ｖを介して連接してなるものであって、上板１２の側板１１寄りの所定の位置に中箱移動用の操作窓１６が打ち抜かれて設けられている。
尚、図２において、筒状体成形時の接着領域が網点によって示されている。
【０００７】
図２は、本発明による振出しカートンの実施例１の中箱と筒状体の斜視図である。
図２（ａ）は、実施例１の中箱３０の斜視図である。
実施例１の中箱３０は、最終的には直方体となるが、各部の構造を分かりやすくするような描き方をしている。
本発明による振出しカートンの実施例１の中箱３０の成形は、中箱のブランク１０の折り返し片１が内側になるように巻き折りすればよい。実際には、折線ｂ，ｄで中箱のブランク１０を三つ折りし、側板６と糊代Ｎの対向面を胴貼りし、最後に曲折パネル７を折線ｆを回転軸として回動させて天板３上に折り重ねてフラットに折り畳まれた中箱３０とし、これを起こし、後側開放端部を小フラップ４−２、６−２、後板３−３、差し込み片３−４を用いて成形し、さらに、底板５に形成されている折り返し片９を折線ｅで側板６側に折り返すようにする。
【０００８】
図２（ｂ）は、実施例１の筒状体の斜視図である。
実施例１の筒状体４０を成形するには、筒状体のブランク２０を二枚の係止板１５、１５’が側板１１の内側に位置するように巻き折して得られる。実際には、折線ｓ，ｕでブランク２０を三つ折りし、糊代Ｎと下板１４の端部で接着して、フラットな折り畳みカートンとし、この状態から起こせばよい。
図４に示すように、筒状体４０の上板１３には、片手で持った時に親指が当たる部分に親指が入る程度の大きさの操作窓１６が形成されている。これは内側に収納される中箱３０の移動操作のために使用される。
前記の係止板１５、１５’は、側板１１の内面に沿って設けられているので、通常の板紙をブランク基材として使用する場合には表面からは目視できない。これら係止板１５、１５’は後述するようにそれらの端縁Ｂ２，Ｂ３が中箱３０の折り返し辺９のストッパーとして機能するものである。
【０００９】
図３は、本発明による振出しカートンの実施例１の斜視図および機能説明図である。
本発明による振出しカートン５０の機能を分かりやすく説明するため、図３では、中箱３０を実線で、筒状体４０を点線で示す。
図３（ａ）は、実施例１の振出しカートン５０の収納位置での斜視図であって最終的に組立てられて流通、販売される状態図である。実際にはさらに透明プラスチックフィルムによってオーバーラップされるケースが多い。
図３（ａ）に示すように、実施例１の振出しカートン５０は、筒状体４０に、中箱３０が挿入され、中箱３０の前側開放端部から中身を充填した後に、小フラップ４ー１、６−１、前板３−１、差し込み片３−２を用いて前側開放端部を封止してなるものである。
この斜視図において最も特徴的なポイントは、曲折パネル７の３角形状の曲折部Ｓが、３本の折線（リード罫が好ましい）ｏ，ｐ，ｑによって山形に折れ曲がり、前方の一部分が操作窓１６のレベルよりも上方に持ち上がり、曲折部Ｓのスライド方向と直交する端縁Ａ１が、操作窓１６の前側の端縁Ｂ１と係止していることである。このＡ１とＢ１とによる係止によるロック手段を以下第１ロック手段と呼称する。この第１ロック手段によって、中箱３０の前方へのスライドは防止されており、この第１ロック手段を外さない限り、中箱３０が、不用意に、独りでに前方に移動して振出口８が開口し、中身がこぼれ出ることはなくなっている。
図３（ｂ）は、第１ロック手段が外されて、振出口８が全開する適性な最寄りの振出位置にまで中箱３０が押し出された状態を示す斜視図である。
この状態では、曲折部Ｓの山形は僅かに残るが、略平らになって筒状体４０の上板１２の下側に押し込まれていて、曲折パネル７の幅（スライド方向と直交する方向の寸法）は、収納位置よりも大きくなって、曲折パネル７の端辺ｌは、筒状体４０の側壁１３の内面により強く突き当たり、このため、中箱３０と筒状体４０は収納時と較べて目視では気がつかない程度に僅かに形状変形を起こしている。また、中箱３０と筒状体４０の間には、この形状変形を許容するだけの間隙が設けられていることが肝要である。
図３（ｂ）に示す振出位置において、開口した振出口８から適量の内容物が取り出された後、中箱３０を再度、図３（ａ）に示す収納位置に押し戻すことができる。
【００１０】
図４は、本発明による振出しカートンの第１ロック手段の補足説明図である。図４は、また、図３（ａ）、（ｂ）における操作窓１６をスライド方向に過る断面模式図である。
前述の第１ロック手段（Ａ１／Ｂ１で示す）を外して、中箱３０を適性な振出位置にまで移動させるには、図４（ａ）に示すように、操作窓１６を通して持ち上がっている曲折部Ｓを指で押さえながら前方に押し出してやればよい。一旦、この第１ロック手段が外れると中箱３０をスムースに前方に押し出すことができる。
以上の操作は、片手だけで可能である。振出しカートン５０を片手で持った上で、親指を使って上記の略ワンタッチに近い操作を行えばよい。なお、操作を容易にするために、曲折部Ｓの表面にエンボス、ホットメルト接着材等によって凸状部を形成するか、メッシュ状等にハーフカットを施しておくか、あるいはゴム系のインキをもってスポット印刷をしておく等の方法で曲折部Ｓの表面摩擦係数を高める滑り止め加工をしておくことが好ましい。
【００１１】
次に、振出位置において機能する他のロック手段について説明する。
図３（ｂ）に示すように、振出位置で中箱３０を停止させるために、中箱３０の底板５側から折り返される折り返し片９の端縁Ａ２と係止板１５の端縁Ｂ２同志が筒状体の側板１１の内側で係止して第２ロック手段（Ａ２／Ｂ２で示す）を形成している。従って、中箱３０は図５（ｂ）に示す位置よりも前方にスライドして押し出されることはない。
この位置で適量の内容物を取り出した後、再度図３（ａ）に示す最初の収納位置に中箱３０を押し戻すが、今度は戻り過ぎないように、折り返し片９の端縁Ａ３と係止板１５’の端縁Ｂ３同志が筒状体の側板１１の内側で係止して第３ロック手段（Ａ３／Ｂ３で示す）を形成している。従って中箱３０が後方に抜け落ちる心配はない。従って、折り返し片９は、筒状体４０の側板１１と中箱３０の側板６に挟まれ係止板１５、１５’の間を往復運動する。この距離は、中箱３０のスライド可能幅であって図３（ａ）のＬによって示すことができる。
さらに、第３ロック手段を補足する第４ロック手段（Ａ４／Ｂ４）を設けてもよい。それは、図２（ｂ）に示す筒状体４０の前側開放端部の端縁Ｂ４と前板３−１の両端部に設けられた突出片Ａ４の側面との係止によるものである。
【００１２】
図５は、本発明による振出しカートンの実施例１の曲折パネルとその関連部分の寸法説明図である。
実施例１の中箱３０と筒状体４０の組立が、予め筒状に成形された筒状体４０の一端から中箱３０が矢印の方向に挿入される挿入方式を採用する場合には、挿入を容易にするために曲折パネルの端辺ｌは斜めになっていることが望ましい。そして、中箱３０のスライド方向と直交する方向において、中箱３０の幅Ａと筒状体４０の内法寸法Ｂと曲折パネル７の最大幅寸法Ｃの間には、次の関係を持たせておくことが必要である。
Ａ  ＜  Ｂ  ＜  Ｃ
尚、曲折パネル７に以上のような形状を持たせた実施例１の中箱３０と筒状体４０の組立には、挿入方式に代わって後述する実施例２の場合のラップラウンド方式を採用してもよい。この場合には曲折パネル７の端辺ｌは斜めにカットしておく必要はない。
【００１３】
図６は、本発明による振出しカートンの実施例２の中箱と筒状体のブランク展開図である。
図６（ａ）は、実施例２の中箱のブランク展開図である。
実施例２のブランク１０’は、図６（ａ）に示すように、実施例１と同様に折り返し片１、糊代２、天板３、側板４、底板５、側板６、及び変形４角形状の曲折パネル７をこの順に折線ａ〜ｆを介して連接してなる胴部ブランクの天板３の前側（図では上部）の辺に折線ｇ，ｈを介して前板３−１と差し込み片３−２をこの順に連接し、天板３の後側の辺に折線ｉ，ｊを介して後板３−３と差し込み片３−４をこの順に連接し、側板４、６の残る２辺に小フラップ４−１、４−２、６−１、６−２を連接してなるものである。
実施例１と異なるのは、曲折パネル７の形状が異なり、曲折パネル７の端部に曲折部Ｓを配置していること、また側板６に折線ｗと切れ目線ｋによって区劃され、同じ側板６上に折り返される折り返し片９を備えていることである。また、曲折パネル７の一部は振出口と同形の打ち抜き部８’を有し、これに続く直線の端辺ｍ’，折線ｆと平行な端辺ｌ’，曲線状の端辺ｎ’によって区劃され、曲折パネル７の幅、すなわち端辺ｌ’と折線ｆ間の間隔は一定になっている。
前板３−１の両端は、実施例１と同様にわずかに広がって突出片Ａ４を形成している。
【００１４】
図６、（ｂ）は、実施例２の筒状体のブランク展開図である。
実施例２の筒状体のブランク２０’は、図６（ｂ）に示すように、それぞれが矩形状の側板１１、上板１２、側板１３、下板１４、係止板１５をこの順に折線ｓ〜ｖを介して連接してなるものであって、上板１２の側板１３寄りの所定の位置に中箱移動用の操作窓１６が打ち抜かれて設けられている。
係止板１５は、折線ｖに沿って矩形状に打ち抜かれ、組立後、折り返し片９が往復できる移動窓１７が形成されている。
尚、網点によって筒状体４０’の成形時の接着領域が示されている。
【００１５】
図７は、本発明による振出しカートンの実施例２の中箱と筒状体の斜視図である。
実施例２の中箱３０’は、図７（ａ）に示すように、曲折パネル７の曲折部Ｓが実施例１の反対側に設けられており、小型の折り返し片９が側板６上において形成され、同じ側板６上に折り返されている。
実施例２の筒状体４０’は、図７（ｂ）に示すように、実施例１と反対側に操作窓１６を備え、側板１１の裏面に沿って係止板１５が設けられ、その一部が打ち抜かれて折り返し片９が移動する移動窓１７が形成されている。
【００１６】
図８は、本発明による振出しカートンの実施例２の斜視図および機能説明図  である。
実施例１と同様に、中箱３０’を実線で、筒状体４０’を点線で示している。図８（ａ）は、図７（ａ）に示す中箱３０’が、図６（ｂ）に示す筒状体のブランク２０’によって後述するラップラウンド方式で包まれてなる最終組立状態であり、中箱３０’の収納位置を示している。
この状態において特徴的なポイントは、曲折パネル７の先端に設けられている曲折部Ｓが２本のリード罫ｏ，ｐによって山形に折れ曲がって操作窓１６を通して上部に持ち上がり、曲折部Ｓの前側直線部の端縁Ａ１と操作窓１６の前側直線部の端縁Ｂ１同志が互いに係止して、第１ロック手段（Ａ１／Ｂ１）を形成していることである。
この第１ロック手段が機能している係止状態では、中箱３０’を矢印が示す前方に押し出すことはできず、不用意に、独りでに、中箱が移動して振出口が開口し、中身がこぼれる心配はない。
図８、（ｂ）は、第１ロック手段が外されて、振出口８が全開する適性な最寄りの振出位置にまで中箱５０’が押し出された状態を示す斜視図である。
この状態では、曲折部Ｓの山形は僅かに残るが、略平らになって筒状体４０’の上板１２の下側に押し込まれていて、曲折パネル７の幅Ｗ３は、収納位置における幅よりも広がり、曲折パネル７の端辺ｌは、筒状体４０’の側壁１３の内面に突き当たり、このため、筒状体４０’と中箱３０’は収納時と較べて目視では気がつかない程度に僅かに変形している。
なお、第１ロック手段を外す操作は操作位置が異なる以外は実施例１と全く同様である。図４を参照されたい。
【００１７】
実施例２においては、図８（ｂ）に示すように、適性な振出位置を確保するために、中箱３０’の側板６上に設けられている折り返し片９の端縁Ａ２と係止板１５の移動窓１７内の前側端縁Ｂ２同志が筒状体の側板１１の内側で係止して第２ロック手段（Ａ２／Ｂ２）を形成している。従って、中箱３０’は、図８（ｂ）に示す位置よりも前方に押し出されることはない。
この位置で適量の内容物を振り出した後、再度、図（ａ）に示す位置にまで中箱３０’を押し戻せば、最初の収納位置に戻すことができる。ここで、中箱３０’が、戻り過ぎないように、折り返し片９の折り曲げ部Ａ３（折り返し片９の折線側の曲面）と移動窓１７内の後側端縁Ｂ３同志が筒状体の側板１１の内側で係止して第３ロック手段（Ａ３／Ｂ３）を形成している。従って収納位置において、中箱３０’が後方に抜け落ちる心配はない。
以上のように、振出口８の開閉に当たって、折り返し片９は、筒状体４０’の側板１１と中箱３０’の側板６に挟まれた移動窓１７内を往復運動する。その距離はＬによって示されている。
さらに、第３ロック手段を補足する第４ロック手段（Ａ４／Ｂ４）を設けてもよい。それは、図８（ａ）に示すように、前板３−１の両端部に設けられた突出片Ａ４と筒状体４０’の前側開放端部の端縁Ｂ４同志の係止によるものである。
【００１８】
図９は、本発明による振出しカートンの実施例２の各部寸法とラップラウンド方式による組立説明図である。
実施例２においても、図９（ａ）に示す、
中箱３０のスライド方向と直交する方向における、中箱３０の幅Ａと曲折パネル７の幅寸法Ｃと図９（ｂ）に示す筒状体４０の内法寸法Ｂとの間には、実施例１と同様の関係が保たれている。
実施例２の場合の曲折パネル７の幅Ｃは一定であるので、これより狭い内法寸法を有する筒状体４０’に挿入することはできないので、図９（ｂ）に示すようなラップラウンド方式によって組立ることができる。
すなわち、成形された中箱３０’に対して筒状体４０’のブランク２０’を図９（ｂ）に示すように位置合わせしてから、上板１２に連接している部分を下方に折り曲げ、さらに底板５を覆うように折り曲げて係止板１５と側板１１の対向面同志で接着させればよい。
この筒状体４０’で、中箱３０’を包み込む場合に、矢印で示す天板３からはみ出している曲折部Ｓの突出部は内側に押し込まれ、同時に曲折部Ｓは折れ曲がって図９（ｂ）で示すように、操作窓８から上方に持ち上がる。
【００１９】
以上実施例１と実施例２によって説明したように、本発明による振出しカートン５０、５０’には、第１ロック手段〜第４ロック手段の４種のロック手段が機能して、振出しカートンの収納位置と適性な振出位置を保持する構成となっている。これらのロック手段の係止機構はＡ４／Ｂ４の一か所を除いて、すべてブランク基材の端縁同志あるいは端縁と折り曲げ部同志の係止であるためロック手段は強力であって、使用回数が増えても疲労することがなく長期にわたって開閉を繰り返すことができる。
従って、これまでの振出しカートンに見られるような、ロック手段が疲労するか、またなんらかの拍子に外れて、中箱が移動して中身がこぼれたりすることがなく、また第１ロック手段で説明したように中箱３０、３０’の移動開始にあたってロック手段の抵抗に打ち勝つ強い押し出し力を必要とすることがなくなっているので、ワンタッチで、弱い力で、容易に振出口８を開口させることができる。
しかし、第１ロック手段を外すことは、大人にとっては容易であっても、幼児にとっては、難しい操作になるので、本発明による振出しカートン５０、５０’はチャイルドプルーフ（子供の悪戯防止）機能も持ち併せている。
【００２０】
本発明の振出しカートン５０、５０’のブランク基材には、広範囲の板紙の使用が可能であるが、剛度が有り、耐折強度の強い、カード系、特板系が好適に使用できる。
また長期にわたり開閉を繰返し、開閉の回数がさらに多くなる場合には折線や切れ目線等からの破壊等を起きにくくするために、ポリ塩化ビニル、ポリプロピレン、ポリエチレン、ポリエチレンテレフタレート、ポリカーボネート、ポリスチレン等のフィルムを板紙にラミネートするとよい。また、このラミネートによって防湿性の向上を図ることもできる。
さらに、板紙に代わって、プラスチックシートをブランク基材に使用してもよい。例えば、タルク等のフィラーを混入して不透明にしたポリプロピレンシート、アモルファスポリエチレンテレフタレート等のシートをそのままブランク基材として使用することができる。また、内容物によっては透明プラスチックシートを使用して、中身を見せるようにしてもよい。
【００２１】
また、ブランク基材への印刷にはオフセット、グラビア、シルクスクリーン等のいかなる周知の印刷方法を用いてもよい。またエンボス、箔押し、ＯＰニスコート等の後加工を行ってもよい。これら印刷及び後加工は板紙あるいはプラスチックのシート状での加工であるため美しい、迫力のあるシャープな仕上がりとなる。
なお、本発明による振出しカートン５０、５０’には密封性はなく、成形充填後に振出しカートン５０全体を防湿性プラスチックフィルムでオーバーラップすることが好ましい。
【００２２】
本発明による振出しカートン５０、５０’は、実施例の記載に限定されることなく、本発明の要旨を逸脱しない範囲内で種々の変形が可能である。例えば、実施例１、実施例２の中箱３０、３０’には、開放端部を封鎖するために前板３−１と後板３−３、差し込み片３−２、３−４、小フラップ４−１、４−２、６−１、６−を使用するいわゆる差し込みフラップカートンが採用されているが、成形時にメインフラップ同志を接着する、いわゆるシールエンドカートンを採用してもよい。
【００２３】
【発明の効果】
本発明による振出しカートン５０、５０’によれば、収納時において中箱３０、３０’の表面に設けられている曲折パネル７の曲折部Ｓが操作窓１６を通して持ち上がり、曲折部Ｓと操作窓１６の端縁同志が係止することによる第１ロック手段が機能しているので、従来のロック手段に較べて信頼性が高い。
また、第１ロック手段（Ａ１／Ｂ１）を外さない限り、不用意に、独りでに、振出口８が開口することがない。また、振出口を開口させる場合にはワンタッチで、軽い力で、容易に中箱３０、３０’を振出位置までスライドさせることができる。
さらに、振出位置よりもさらに中箱３０、３０’が押し出されることを防止する第２ロック手段（Ａ２／Ｂ２）、最初の収納位置から逆方向に中箱３０、３０’が押し戻されることを防止する第３ロック手段（Ａ３／Ｂ３）を備えることができる。
従って、携帯中に不用意に中箱３０が移動して内容物がこぼれ出る心配がなく安心して携帯することができる。
また、係止は板紙素材の端縁同志あるいは端縁と折り曲げ部同志で行われているので、疲労する箇所が少なく、長期にわたって繰り返し使用することができる。
さらに、第１ロック手段（Ａ１／Ｂ１）を外して振出状態にする操作は、大人にとってはワンタッチに近い操作で簡単であるが、子供にとっては難しく、チャイルドプルーフの機能を併せ持たせることができる。
【図面の簡単な説明】
【図１】本発明による振出しカートンの実施例１の中箱と筒状体のブランク展開図
【図２】本発明による振出しカートンの実施例１の中箱と筒状体の斜視図
【図３】本発明による振出しカートンの実施例１の斜視図および機能説明図
【図４】本発明による振出しカートンの第１ロック手段の補足説明図
【図５】本発明による振出しカートンの実施例１の曲折パネルとその関連部分の寸法説明図
【図６】本発明による振出しカートンの実施例２の中箱と筒状体のブランク展開図
【図７】本発明による振出しカートンの実施例２の中箱と筒状体の斜視図
【図８】本発明による振出しカートンの実施例２の斜視図および機能説明図
【図９】本発明による振出しカートンの実施例２の各部寸法とラップラウンド方式による組立説明図
【符号の説明】
１    折り返し片
２    糊代
３    天板
３−１    前板
３−２    差し込み片
３−３    後板
３−４    差し込み片
４    側板
４−１    小フラップ
４−２    小フラップ
５    底板
６    側板
６−１    小フラップ
６−２    小フラップ
７    曲折パネル
８    振出口
９    折り返し片
１０    本発明による振出しカートンの実施例１の中箱のブランク
１０’  本発明による振出しカートンの実施例２の中箱のブランク
１１    側板
１２    上板
１３    側板
１４    下板
１５、１５’  係止板（ストッパー）
１６    操作窓
１７    移動窓
２０    本発明による振出しカートンの実施例１の筒状体のブランク
２０’  本発明による振出しカートンの実施例２の筒状体のブランク
３０    本発明による振出しカートンの実施例１の中箱
３０’  本発明による振出しカートンの実施例２の中箱
４０    本発明による振出しカートンの実施例１の筒状体
４０’  本発明による振出しカートンの実施例２の筒状体
５０    本発明による実施例１の振出しカートン
５０’  本発明による実施例２の振出しカートンの
ａ〜j     折線
ｏ〜ｑ    リード罫
ｌ〜ｍ    端辺
k     切れ目線
Ａ１    曲折部の端縁
Ａ２    折り返し片の前側端縁
Ａ３    折り返し片の後側端縁、折り返し片の折り曲げ部
Ａ４    突起片
Ｂ１    操作窓の前側端縁
Ｂ２    係止板の後側端縁、係止板の移動窓内の前側端縁
Ｂ３    係止板の前側端縁、係止板の移動窓内の後側端縁
Ｂ４    筒状体の側板の前側端縁
Ｅ    エンボスによる凸状部
Ｌ    スライド可能幅
Ｓ    曲折部
【図１】
0004011757.tif 000002
【図２】
0004011757.tif 000003
【図３】
0004011757.tif 000004
【図４】
0004011757.tif 000005
【図５】
0004011757.tif 000006
【図６】
0004011757.tif 000007
【図７】
0004011757.tif 000008
【図８】
0004011757.tif 000009
【図９】
0004011757.tif 000010